(57)【特許請求の範囲】
【請求項１】
幹線の途中から該幹線に対し略直角方向に支線を分岐させることで略Ｔ字状に分岐する電線束の分岐部を保持するための電線受部と、該電線受部をワイヤハーネスの組立作業台上に立設するための支柱とからなる分岐用電線保持具であって、
前記電線受部は分岐点における前記支線の両側にそれぞれ配置される支線側腕部と、各支線側腕部に対し幹線を挟んで対向位置にそれぞれ配置される幹線側腕部とを備え、対向する前記幹線側腕部と支線側腕部との間の隙間部分を分岐部における幹線支持部とすると共に前記各支線側腕部間の隙間部分を支線支持部とし、対向する前記幹線側腕部と支線側腕部の内面には結束バンドを一方の腕部から他方の腕部に向けてＵ字状に屈曲しながら案内する案内溝をそれぞれ形成すると共に、該案内溝は前記幹線支持部に支持される幹線の電線束に干渉しないように幹線の下方を通過する案内軌道に沿って形成していることを特徴とする電線保持具。
【請求項２】
前記案内溝は結束バンドの幅寸法に略対応する溝幅と結束バンドの厚み寸法より深い溝深さに形成することで結束バンドの両側を保持する案内側壁を備える一方、前記支線側腕部の領域では前記支線に対面する内面側の案内側壁を備えない構成とすることで、支線の両側における結束バンドの案内軌道を支線の両側基部に近接させるようにしている請求項１に記載の電線保持具。
【請求項３】
前記請求項１または請求項２に記載の分岐用電線保持具を用いた分岐部を有するワイヤハーネスの製造方法であって、
前記電線受部の幹線支持部に沿って電線を布線すると共に、布線される電線の一部を支線支持部側へ分岐させるようにして略Ｔ字状の分岐部を構成し、
次いで、対向する前記幹線側腕部と支線側腕部の案内溝に沿って一方の腕部から他方の腕部へ向けて結束バンドを先端側から順次挿入することで結束バンドを支線の両側に並行する方向で幹線の下面側を通してＵ字状に案内し、
対向する他方の腕部から突出した結束バンドの先端部を基端部の係止部に挿通して締め付けることで略Ｔ字状の分岐部における幹線に対し各結束バンドを支線の両側に沿って並行する方向で締め付け固定するようにしたことを特徴とする分岐部を有するワイヤハーネスの製造方法。
【発明の詳細な説明】
【技術分野】
【０００１】
本発明は、分岐用電線保持具および分岐部を有するワイヤハーネスの製造方法に関し、詳しくは、略Ｔ字状に分岐するワイヤハーネスの分岐部に対し、簡易な操作により結束バンドを締め付け固定可能とするものである。
【背景技術】
【０００２】
従来、自動車に配索されるワイヤハーネスには幹線から支線が分岐している箇所が多数存在し、この分岐位置がずれないように電線群にテープを巻き付けて結束している。この分岐部の結束は、ワイヤハーネス組立作業台に立設した電線保持具に電線束を布線した状態で行っている。これら電線束を結束する粘着テープは、幹線から支線が分岐する位置では、電線保持具の支持棒の間に電線束が保持されている状態では支持棒が邪魔となって粘着テープを電線束に巻き付けることができない。
そのため、電線保持具を下降させて電線束を電線保持具から外した状態で粘着テープを巻き付けている。このように、分岐部における粘着テープの巻き付け作業は熟練を要し、作業者の熟練度合いによって結束状態にバラツキが発生しやすく、かつ、ワイヤハーネスには分岐位置が多いために作業時間がかかるという問題がある。また、分岐部に粘着テープを巻き付ける際に電線束を電線保持具から取り出すため、粘着テープを巻き付ける分岐位置にずれが発生しやすく、分岐部の位置精度が低下するという問題もある。
【０００３】
そこで、本出願人は、テープ巻きに代えて汎用の結束バンドで分岐部を結束固定する分岐部結束方法を特開２００５−２７４６３号（特許文献１）で提供している。この結束方法では、図７（Ａ）（Ｂ）に示すように、先ずワイヤハーネスの組立作業台１上に立設した電線保持具２を通して電線を布線し、この電線保持具２の上部に設けた電線保持棒２ａ、２ｂ、２ｃの間を通して幹線Ｗａより支線ＷｂをＴ字状に分岐させている。次いで、電線束Ｗに対して、分岐部Ｐの電線束Ｗを電線保持具２から取り出さない状態で、一対の結束バンド３Ａ、３Ｂを支線Ｗｂの両側で幹線Ｗａに巻き付ける。しかる後、結束バンド３Ａ、３Ｂの先端側を交叉させ、他方の結束バンド３Ａ、３Ｂの基部に設けた係止部３ａ、３ｂにそれぞれ挿入して係止させ、電線束Ｗの分岐点Ｐに対応する位置で結束バンド３Ａ、３Ｂをたすき掛け状態に交叉させて締結している。なお、結束バンド３Ａ、３Ｂは両者の基部を一定間隔に保持するための別体の補助部材４に挿通しておくことで作業性の向上を図っている。
【０００４】
【特許文献１】特開２００５−２７４６３号公報
【発明の開示】
【発明が解決しようとする課題】
【０００５】
上記のように、図７（Ａ）（Ｂ）に示す方法によれば、電線保持具２に保持された状態の電線束Ｗの分岐点Ｐに対し、その保持状態を維持しつつ汎用の結束バンド３Ａ、３Ｂを用いて結束することができる。しかしながら、分岐点Ｐに対し結束バンド３Ａ、３Ｂを巻回するには電線保持棒２ａ、２ｂ、２ｃを巻き込まないように注意しながら電線保持棒２ａ、２ｂ、２ｃの内側で巻き付け作業をする必要があるため、支線Ｗｂを中心方向に寄せて結束バンド３Ａ、３Ｂを挿入するスペースを確保しながらの作業になるため、その作業手順が複雑となり、更に締め付け位置の高精度の位置決めも困難である等の問題がある。
また、Ｔ字状の分岐形態においては、支線Ｗｂの基部が膨らむと、車体へのワイヤハーネスの取付時に他部材に干渉したり、配索される電線に余長が生じたりするため、支線Ｗｂの基部両側に近接した位置を結束バンド３Ａ、３Ｂで結束するのが好ましい。このため、従来例においては、補助部材４を用いて結束作業時における結束バンド３Ａ、３Ｂの間隔位置が拡がらないようにしているが、別部材を要するためコスト高になると共に、結束バンド３Ａ、３Ｂを予め補助部材４に挿通しておかなければならないという問題がある。
【０００６】
本発明は上記した問題に鑑みてなされたもので、熟練を要することなく簡易な操作により電線保持具に保持された状態における略Ｔ字状の分岐部に対し、汎用の結束バンドを用いて所定の結束位置に対し高精度に位置決めされた状態で結束可能な電線保持具および分岐部を有するワイヤハーネスの製造方法を提供することを課題としている。
【課題を解決するための手段】
【０００７】
上記課題を解決するため、本発明では、幹線の途中から該幹線に対し略直角方向に支線を分岐させることで略Ｔ字状に分岐する電線束の分岐部を保持するための電線受部と、該電線受部をワイヤハーネスの組立作業台上に立設するための支柱とからなる分岐用電線保持具であって、
前記電線受部は分岐点における前記支線の両側にそれぞれ配置される支線側腕部と、各支線側腕部に対し幹線を挟んで対向位置にそれぞれ配置される幹線側腕部とを備え、対向する前記幹線側腕部と支線側腕部との間の隙間部分を分岐部における幹線支持部とすると共に前記各支線側腕部間の隙間部分を支線支持部とし、対向する前記幹線側腕部と支線側腕部の内面には結束バンドを一方の腕部から他方の腕部に向けてＵ字状に屈曲しながら案内する案内溝をそれぞれ形成すると共に、該案内溝は前記幹線支持部に支持される幹線の電線束に干渉しないように幹線の下方を通過する案内軌道に沿って形成していることを特徴とする電線保持具を提供している。
【０００８】
上記構成によれば、電線受部の各腕部間の支持部によって略Ｔ字状の分岐形態に保持された電線束に対し、支持部による支持状態を維持したままで、対向する幹線側腕部と支線側腕部に形成した案内溝に沿って結束バンドを挿入するのみの容易な操作により、支線の両側に並行して分岐部における幹線の外周に結束バンドを正確に位置決めして配置することができる。そして、各結束バンドのそれぞれの係止部に対し結束バンドの先端部を順次挿入して締め付けることで分岐部に対し結束バンドによる固定化を実行することができる。
【０００９】
また、前記案内溝は結束バンドの幅寸法に略対応する溝幅と結束バンドの厚み寸法より深い溝深さに形成することで結束バンドの両側を保持する案内側壁を備える一方、前記支線側腕部の領域では前記支線に対面する内面側の案内側壁を備えない構成とすることで、支線の両側における結束バンドの案内軌道を支線の両側基部に近接させるように設定するのが好ましい。
このように構成すれば、幹線に巻き付けるべき結束バンドが案内溝の所要経路から外れることがなく、かつ支線の基部両側に密接した状態で精度よく位置決めすることができると共に、支持された電線束に干渉することもなく、よって結束バンドを容易かつ確実に所要位置に配置することができる。
【００１０】
また、他の発明では、前記分岐用電線保持具を用いて、分岐部を有するワイヤハーネスを製造するに際し、前記電線受部の幹線支持部に沿って電線を布線すると共に、布線される電線の一部を支線支持部側へ分岐させるようにして略Ｔ字状の分岐部を構成し、
次いで、対向する前記幹線側腕部と支線側腕部の案内溝に沿って一方の腕部から他方の腕部へ向けて結束バンドを先端側からそれぞれ順次挿入することで結束バンドを支線の両側に並行する方向で幹線の下面側を通してＵ字状に案内し、
対向する他方の腕部から突出した結束バンドの先端部を基端部の係止部に挿通して締め付けることで略Ｔ字状の分岐部における幹線に対し各結束バンドを支線の両側に沿って並行する方向で締め付け固定するようにしたことを特徴とする分岐部を有するワイヤハーネスの製造方法を提供している。
【００１１】
このような手順で、分岐用電線保持具によって電線束を略Ｔ字状の分岐形態に布線した後、各幹線側腕部および支線側腕部に形成された案内溝に沿って互いに対向する反対側の腕部に向けて結束バンドを挿通するのみで、幹線の電線束に対し結束バンドを支線の基部両側に並行に位置決めした状態で案内配置することができる。よって、対向する腕部間に挿通された結束バンドを係止部で締め付るのみで、電線受部に電線束を保持した状態のまま分岐部の所要位置に対し結束バンドを容易かつ確実に締め付け固定することができる。
【発明の効果】
【００１２】
以上の説明より明らかなように、本発明の電線保持具によれば、ワイヤハーネスの分岐部として電線受部に、略Ｔ字状の分岐形態で保持された電線束に対し、汎用の結束バンドを支線の基部両側に並行して配置すべく対向する腕部に設けた案内溝によって案内することができる。よって、電線保持具から電線束を取り外すことなく、かつ汎用の結束バンドを用いて、簡易な操作により分岐部の幹線に対し結束バンドを正確に配置することができる。
また、分岐部を有するワイヤハーネスの製造方法によれば、電線受部の対向する腕部に形成された案内溝に沿って汎用の結束バンドを挿通し、挿通された結束バンドの先端をその基部に設けた係止部に挿通して締め付けるのみで、略Ｔ字状の分岐部における支線の基部両側において幹線に対し結束バンドを並行に締め付け固定したワイヤハーネスを提供することができる。
【発明を実施するための最良の形態】
【００１３】
以下、本発明の実施形態を図面を参照して説明する。
図１〜図６は分岐用の電線保持具の実施形態を示し、この電線保持具１０は、ワイヤハーネスの組立工程において、幹線Ｗａの途中からこの幹線Ｗａに対し略直角方向に支線Ｗｂを分岐させることで略Ｔ字状に分岐する電線束の分岐部Ａを保持すると共に、分岐部Ａの幹線Ｗａに結束される結束バンドＢ１、Ｂ２を配置するために用いられる。電線保持具１０は、布線される電線束を受け入れて保持する合成樹脂製の電線受部１１を上端に備えた金属製の支柱１２と、この支柱１２をワイヤハーネスの組立作業台Ｔの所定位置に取付固定するためのボルト・ナットからなる取付部１８とから構成している。
【００１４】
電線受部１１は、ワイヤハーネスの分岐部Ａに布線される電線束を所要方向に案内するために分岐点Ｐに対応する基部１１ａの中心位置に対し支線Ｗｂ側に偏在すると共に布線される支線Ｗｂの両側に立設して配置される２本の支線側腕部１３Ａ、１３Ｂと、各支線側腕部１３Ａ、１３Ｂに対し布線される幹線Ｗａを挟んで対向する位置に立設して配置される２本の幹線側腕部１３Ｃ、１３Ｄとを備えている。対向する支線側腕部１３Ａと幹線側腕部１３Ｃ、支線側腕部１３Ｂと幹線側腕部１３Ｄとの間によって構成される溝状の隙間部分を、分岐部Ａにおいて布線される幹線Ｗａを受け入れて支持する幹線支持部１４Ａ、１４Ｂとすると共に、支線側腕部１３Ａ、１３Ｂの間によって構成される溝状の隙間部分を支線支持部１４Ｃとしている。幹線側腕部１３Ｃ、１３Ｄの間は側板１４Ｄによって閉塞することで、電線束が誤って分岐布線されないようにしている。
【００１５】
これら幹線支持部１４Ａ、１４Ｂ、支線支持部１４Ｃの基端部１４ａ、１４ｂ、１４ｃは、布線される幹線Ｗａおよび支線Ｗｂの高さ方向の支持位置を規制する部分としている。なお、電線受部１１は支柱１２に対し着脱して各種形状のものに対応することができるように支柱１２の上端に形成した雄ネジ部１２ａに対応する雌ネジ部１５を備えている。
【００１６】
また、対向する支線側腕部１３Ａと幹線側腕部１３Ｃ、支線側腕部１３Ｂと幹線側腕部１３Ｄの内面には、一方から他方に向けてその軌道がＵ字状に屈曲した経路となる案内溝１６ａ、１６ｂをそれぞれ形成している。この案内溝１６ａ、１６ｂは、案内すべき後述の結束バンドＢ１、Ｂ２の幅寸法に略対応すると共に厚さ寸法より深く形成した断面凹状に形成することで、結束バンドＢ１、Ｂ２の両側を保持する案内側壁１７ａ、１７ｂを形成している。この案内側壁１７ａ、１７ｂは支線側腕部１３Ａ、１３Ｂに対応する領域では、布線される支線Ｗｂの両側に対面する内面側の案内側壁１７ａを備えない構成、即ち断面Ｌ状とすることで、支線Ｗｂの両側における結束バンドＢ１、Ｂ２の案内軌道を支線Ｗｂの両側基部に近接させるようにしている。
【００１７】
また、案内溝１６ａ、１６ｂは電線保持具１０に保持された幹線Ｗａおよび支線Ｗｂの外周に干渉することがないように、その外周より外側下方を通過する軌道に沿って形成されている。即ち、幹線Ｗａおよび支線Ｗｂを支持する幹線支持部１４Ａ、１４Ｂおよび支線支持部１４Ｃの基端部１４ａ、１４ｂ、１４ｃの高さ位置より、結束バンドＢ１、Ｂ２の案内溝１６ａ、１６ｂの下端位置が下方になる寸法設定としている。案内溝１６ａ、１６ｂの上端の入り口付近では、案内溝１３ａ、１３ｂに対する結束バンドＢ１、Ｂ２の挿通作業を容易にするため、上方外方に向けて緩い角度で傾斜する導入傾斜面１６ｃを形成している。
【００１８】
図４（Ａ）（Ｂ）は、汎用の結束バンドＢ１、Ｂ２を示し、ワイヤハーネスの分岐部Ａにおける幹線Ｗａの外周対し、支線Ｗｂの延出方向に沿って並行させた状態で結束するのに十分な長さのバンド本体部Ｂａと、一端に設けた係止部Ｂｂとからなっている。バンド本体Ｂａの内面には係止部Ｂｂの係止爪Ｂｃに係止してラッチ機構を構成するための係止溝Ｂｄを備えている。
【００１９】
次に上記構成からなる電線保持具１０を用いて略Ｔ字状の３方向に分岐する分岐部Ａを有するワイヤハーネスの製造工程について説明すると、
先ず、ワイヤハーネスの組立作業台Ｔ上の布線経路に沿って立設されたＵ字状の通常の電線受具(図示せず）に沿って電線を布線する。分岐点Ｐに対応する位置には、分岐用の電線保持具１０を立設しておき、図３（Ａ）（Ｂ）に示すように、幹線Ｗａを幹線支持部１４Ａ、１４Ｂにわたって係止するようにして直線方向に布線する。そして、幹線Ｗａから分岐すべき支線Ｗｂを分岐点Ｐにおいて幹線Ｗａに対し略直角方向に向けて布線し、支線支持部１４Ｃにそれぞれ係止する。このようにして、幹線Ｗａに対し支線Ｗｂが略Ｔ字状に分岐する分岐部Ａが構成される。
【００２０】
次いで、図５（Ａ）（Ｂ）に示すように、対向する支線側腕部１３Ａと幹線側腕部１３Ｃ、支線側腕部１３Ｂと幹線側腕部１３Ｄのうち、先ず一方における幹線側腕部１３Ｃの案内溝１６ａの始点に沿って結束バンドＢ１を先端側から対向する他方の支線側腕部１３Ａに向けて挿入する。挿入された結束バンドＢ１は案内溝１６ａに案内されながら分岐部Ａを構成する幹線Ｗａの基部に干渉することなく、その下方の軌道を通ってＵ字状に屈曲し、対向する反対側の支線側腕部１３Ａにおける案内溝１６ａの端部から突出する。次いで、図６（Ａ）（Ｂ）に示すように、腕部１３Ａから突出した結束バンドＢ１の先端部を対応する基端部の係止部Ｂｂに挿通して締め付け操作する。このとき、支線側腕部１３Ａでは、支線Ｗｂに対面する側の案内側壁１７ａがないため、結束バンドＢ１は支線Ｗｂに最も近接した位置に配置することが可能となる。このため、結束バンドＢ１の締め付けによって、支線Ｗｂの基部の膨らみを抑えて設計通りの分岐経路とすることができ、車体への取付時における他部材との干渉およびワイヤハーネスを構成する電線に余長が発生するのを防止できる。
【００２１】
そして、他方の対向する支線側腕部１３Ｂと幹線側腕部１３Ｄの案内溝１６ｂにも上記と同様の操作により結束バンドＢ２を挿入すると共に、突出した先端部を係止部Ｂｂに挿通して締め付け操作する。このようにして、分岐部Ａを構成する幹線Ｗａに対し２本の結束バンドＢ１、Ｂ２を、支線Ｗｂの両側に近接させた状態で並行に配置して締め付け固定することで、所要の分岐点Ｐに対し精度よく合致する分岐部Ａを形成することができる。このように、電線保持具１０から幹線Ｗａおよび支線Ｗｂを持ち上げることなく、幹線支持部１４Ａ、１４Ｂおよび支線支持部１４Ｃに支持させた状態で分岐部Ａに対し結束バンドＢ１、Ｂ２を定位置に配置して締め付け操作することができる。
【００２２】
以上のように、分岐用の電線保持具１０を用いることで、汎用の結束バンドＢ１、Ｂ２を用い、かつ、それぞれの結束バンドＢ１、Ｂ２の独立した通常の締め付け操作により分岐部Ａを構成する幹線Ｗａに対し、結束バンドＢ１、Ｂ２を支線Ｗｂの両側に近接した並行状態で締め付け操作することができる。更に、結束バンドＢ１、Ｂ２による締め付け操作までの間、電線保持具１０に布線された幹線Ｗａおよび支線Ｗｂは、幹線支持部１４Ａ、１４Ｂおよび支線支持部１４Ｃに支持したままで、持ち上げる必要がないので、電線束が引っ張られることによる分岐点Ｐの位置ズレを生じることもなく、簡易な操作により分岐点Ｐに対する位置決め精度のよい分岐部Ａを有するワイヤハーネスを製造することができる。
【００２３】
なお、上記実施形態において電線受部の材質としては、結束バンドの挿入操作時の滑りのよい合成樹脂製を用いた例を示したが、金属製等他の材質を用いてもよい。上記実施形態では、２本の結束バンドを案内溝１６ａ、１６ｂに対し１本ずつ挿入して締め付け固定する手順を示したが、２本を各腕部に挿入してからそれぞれの締め付け操作を行うようにしてもよい。また、上記実施形態では電線受部を支柱に対し着脱交換可能な例を示したが、一体のものであってもよい。
【図面の簡単な説明】
【００２４】
【図１】本発明に電線保持具の実施形態の斜視図である。
【図２】（Ａ）は電線受部の平面図、（Ｂ）は正面図、（Ｃ）はＸ−Ｘ断面図である。
【図３】分岐部を有するワイヤハーネスの製造工程を示し、（Ａ）は幹線および支線を布線した状態の正面図、（Ｂ）は平面図である。
【図４】（Ａ）は結束バンドの正面図、（Ｂ）は側面図である。
【図５】（Ａ）（Ｂ）は電線受部に布線された幹線への結束バンドの装着工程を示す断面図である。
【図６】（Ａ）電線受部に布線された電線束への結束バンドの締め付け状態を示す断面図、（Ｂ）は平面図である。
【図７】（Ａ）（Ｂ）は従来例を示す図である。
【符号の説明】
【００２５】
１０  電線保持具
１１  電線受部
１１ａ  基部
１２  支柱
１３Ａ、１３Ｂ  支線側腕部
１３Ｃ、１３Ｄ  幹線側腕部
１４Ａ、１４Ｂ  幹線支持部
１４Ｃ  支線支持部
１６ａ、１６ｂ  案内溝
１７ａ、１７ｂ  案内側壁
Ａ  分岐部
Ｂ１、Ｂ２  結束バンド
Ｂｂ  係止部
Ｗａ  幹線
Ｗｂ  支線
Ｐ  分岐点
【図１】
0004770411.tif 000002
【図２】
0004770411.tif 000003
【図３】
0004770411.tif 000004
【図４】
0004770411.tif 000005
【図５】
0004770411.tif 000006
【図６】
0004770411.tif 000007
【図７】
0004770411.tif 000008